(57)【要約】【課題】本発明は、簡素な構成でありながら、光源部が支持部から外れないように安定して配置される、灯具、及びそれを用いた照明装置を提供することを目的とする。【解決手段】本発明に係る灯具は、基板の一面の側に発光素子が配置された光源部と、前記光源部が支持される支持部とを備える。前記支持部は、前記一面の少なくとも一部が当接するように形成された配置面部、前記配置面部の反対の側に形成された非配置面部、及び、前記配置面部の少なくとも一部が面する第１領域と前記非配置面部の少なくとも一部が面する第２領域とを繋ぐように、前記配置面部と前記非配置面部との間に形成された連通部を有している。そして、前記光源部は、前記第１領域内を前記配置面部と交差する方向に沿って移動することによって、前記一面が前記配置面部に当接するように前記支持部に支持される。【選択図】          図６
2020161440.tif 000002
【特許請求の範囲】
【請求項１】
基板の一面の側に発光素子が配置された光源部と、
前記光源部が支持される支持部であって、
前記一面の少なくとも一部が当接するように形成された配置面部、前記配置面部の反対の側に形成された非配置面部、及び、前記配置面部の少なくとも一部が面する第１領域と前記非配置面部の少なくとも一部が面する第２領域とを繋ぐように、前記配置面部と前記非配置面部との間に形成された連通部を有する支持部と
を備え、
前記光源部は、
前記第１領域内を前記配置面部と交差する方向に沿って移動することによって、前記一面が前記配置面部に当接するように前記支持部に支持される灯具。
【請求項２】
前記連通部は、
前記光源部が前記支持部に支持された状態で、前記基板の前記配置面部と当接しない部分と重なる請求項１に記載の灯具。
【請求項３】
前記基板は、
前記光源部が前記支持部に支持された状態で、前記一面の前記配置面部と当接しない部分が前記連通部を介して前記第２領域に露出する請求項１又は請求項２に記載の灯具。
【請求項４】
前記発光素子は、
前記光源部が前記支持部に支持された状態で、光軸が前記連通部を通過する請求項１から請求項３の何れか一項に記載の灯具。
【請求項５】
前記発光素子は、
前記光源部が前記支持部に支持された状態で、光が発せられる出光部が前記配置面部よりも前記第２領域の側に配置される請求項１から請求項４の何れか一項に記載の灯具。
【請求項６】
前記発光素子は、
前記光源部が前記支持部に支持された状態で、光が発せられる出光部が前記非配置面部よりも前記第２領域の側に配置される請求項１から請求項５の何れか一項に記載の灯具。
【請求項７】
前記発光素子は、
前記光源部が前記支持部に支持された状態で、少なくとも一部が連通部に配置される請求項１から請求項６の何れか一項に記載の灯具。
【請求項８】
前記配置面部には、連結具、配線具、電源装置の少なくとも何れかが配置され、
前記連結具、前記配線具、前記電源装置は、前記配置面部に配置された状態で、前記光源部と離間する請求項１から請求項７の何れか一項に記載の灯具。
【請求項９】
前記光源部と、前記連結具、前記配線具、前記電源装置の何れかとの間には、弾性を有する移動規制部材が配置され、
前記光源部は、前記移動規制部材によって、前記配置面部と交差する方向に沿った移動を規制される請求項８に記載の灯具。
【請求項１０】
透光性を有し、前記非配置面部を覆うように前記支持部に取付けられる透光部を備えた請求項１から請求項９の何れか一項に記載の灯具。
【請求項１１】
前記透光部は、前記支持部における前記非配置面部よりも前記第１領域の側に取付けられる請求項１０に記載の灯具。
【請求項１２】
基板の一面の側に発光素子が配置された光源部と、
前記光源部が支持される支持部であって、
前記一面の少なくとも一部が当接するように形成された配置面部、前記配置面部の反対の側に形成された非配置面部、及び、前記配置面部の少なくとも一部が面する第１領域と前記非配置面部の少なくとも一部が面する第２領域とを繋ぐように、前記配置面部と前記非配置面部との間に形成された連通部を有する支持部と
を備え、
前記発光部は、
前記第１領域内を前記配置面部と交差する方向に沿って移動することによって、前記一面が前記配置面部に当接するように前記支持部に支持される灯具と、
前記灯具が着脱自在に装着される器具と
からなる照明装置。
【発明の詳細な説明】
【技術分野】
【０００１】
本発明は、灯具、及び照明装置に関する。
【背景技術】
【０００２】
従来、天井などの造営部に取り付けられる直付けタイプの照明器具が提案されており、例えば、特許文献１に開示されている。特許文献１に記載された照明器具は、造営部に取り付けられる器具本体と器具本体に保持される光源ユニットとを備えており、光源ユニットは、複数の発光素子が実装された基板を、両面テープ或いは接着剤などの接着部材を用いて取付部材に密着させて取り付けている。また、光源ユニットは、接着部材の性能が劣化した場合に、基板を取付部材に密着させ続けるために、取付部材に取り付けられる固定部材を用いている。
【先行技術文献】
【特許文献】
【０００３】
【特許文献１】特開２０１５−１０９２１５号公報
【発明の概要】
【発明が解決しようとする課題】
【０００４】
しかしながら、特許文献１に記載された接着部材は、取付部材の底面における光源ユニットが器具本体に保持された状態で下向きとなる面と基板における発光素子が実装されていない面とを接着しているため、接着部材性能が劣化した場合に基板が取付部材から脱落してしまうおそれがある。特許文献１には、接着部材の性能が劣化した場合に、基板を取付部材に密着させ続けるために、取付部材に取り付けられる固定部材を用いる方法が示されているが、この方法は光源ユニットの構成を複雑にするとともに、固定部材を取り付ける時間を要するという課題があった。
【０００５】
本発明は、上記の課題に鑑みてなされたものであり、簡素な構成でありながら、光源部が支持部から外れないように安定して配置される、灯具、及びこの灯具を備えた照明装置を提供することを目的とする。
【課題を解決するための手段】
【０００６】
本発明に係る灯具は、基板の一面の側に発光素子が配置された光源部と、前記光源部が支持される支持部であって、前記一面の少なくとも一部が当接するように形成された配置面部、前記配置面部の反対の側に形成された非配置面部、及び、前記配置面部の少なくとも一部が面する第１領域と前記非配置面部の少なくとも一部が面する第２領域とを繋ぐように、前記配置面部と前記非配置面部との間に形成された連通部を有する支持部とを備え、前記光源部は、前記第１領域内を前記配置面部と交差する方向に沿って移動することによって、前記一面が前記配置面部に当接するように前記支持部に支持される。
【発明の効果】
【０００７】
本発明に係る灯具は、上記のように構成されたので、簡素な構成でありながら、光源部が支持部の第２領域の側に外れないように、光源部を支持部の第１領域の側の配置面部に安定して配置することができる。
【図面の簡単な説明】
【０００８】
【図１】実施の形態１に係る照明装置の斜視図である。
【図２】実施の形態１に係る照明装置を器具と灯具とに分割した分割斜視図である。
【図３】実施の形態１に係る灯具の斜視図である。
【図４】実施の形態１に係る灯具の分解斜視図である。
【図５】実施の形態１に係る灯具の要部を示す拡大分解斜視図である。
【図６】実施の形態１に係る灯具の断面図で、図３のＡ−Ａ断面図である。
【図７】実施の形態１に係る灯具の断面図で、図３のＢ−Ｂ断面図である。
【図８】実施の形態１に係る灯具の断面図で、図３のＣ−Ｃ断面図である。
【図９】実施の形態２に係る灯具の要部を示す拡大分解斜視図である。
【図１０】実施の形態２に係る灯具の断面図で、図３のＡ−Ａ断面図に相当する。
【図１１】実施の形態３に係る灯具の要部を示す拡大分解斜視図である。
【図１２】実施の形態３に係る灯具の断面図で、図３のＡ−Ａ断面図に相当する。
【図１３】実施の形態４に係る灯具の要部を示す拡大分解斜視図である。
【図１４】実施の形態５に係る灯具の要部を示す拡大斜視図である。
【図１５】実施の形態６に係る灯具の要部を示す拡大斜視図である。
【発明を実施するための形態】
【０００９】
本発明の実施の形態に係る照明装置の構成について、図面を参照して説明する。なお、各図面では各構成部材の大きさの関係が実際のものとは異なる場合がある。また、各図面において、同一の符号を付したものは、同一、またはこれに相当するものであり、これは明細書の全文において共通することとする。そして、同一、またはこれに相当するものは、説明の繰り返しを省略する場合がある。
【００１０】
以下の実施の形態の説明において、上、下、左、右、前、後、表、裏といった向き、或いは位置が示されている場合がある。これらの表記は、説明の便宜上、そのように記載されており、装置、器具、或いは部品などの配置、方向、或いは向きを限定するものではない。明細書全文に記載されている構成要素の形態は、あくまで例示であって、これらの記載された形態に限定されるものではない。
【００１１】
実施の形態１．
実施の形態１に係る照明装置１は、照明装置１が備える灯具３における、光源部３０の配置に特徴がある。
【００１２】
実施の形態１に係る灯具３は、基板３０１の実装面部３０２である一面の側に発光素子３００が配置された光源部３０と、光源部３０が支持される支持部３１とを備える。支持部３１は、基板３０１の一面の少なくとも一部が当接するように形成された配置面部３１１、この配置面部３１１の反対の側に形成され光源部３０が配置されない非配置面部３１２、及び、配置面部３１１の少なくとも一部が面する器具側の領域である第１領域Ｓ１と非配置面部３１２の少なくとも一部が面する照射側の領域である第２領域Ｓ２とを繋ぐように、配置面部３１１と非配置面部３１２との間に形成された連通部３１３を有している。そして、光源部３０は、第１領域Ｓ１内を配置面部３１１と交差する方向に沿って移動することによって、基板３０１の実装面部３０２が配置面部３１１に当接するように支持部３１に支持されるので、光源部３０は支持部３１の第１領域Ｓ１の側の配置面部３１１に安定して配置され、第２領域Ｓ２の側へ外れることがない。
【００１３】
＜照明装置１の構成＞
図１及び図２を参照して、実施の形態１に係る照明装置１の全体の構成を説明する。
【００１４】
図１は、実施の形態１に係る照明装置１の斜視図である。図２は、実施の形態１に係る照明装置１を器具２と灯具３とに分割した分割斜視図である。
【００１５】
以下の説明において、照明装置１の長手方向に沿った方向を長手方向Ｘ、長手方向Ｘに直交し長手方向Ｘに対する短手方向を短手方向Ｙ、長手方向Ｘ及び短手方向Ｙの何れとも直交する方向を上下方向Ｚとする。また、上下方向Ｚにおいて、照明装置１が取り付けられる造営部９の側（すなわち天井、壁などの被取付部側）への向きを上向きＺ１とし、上向きＺ１と反対側への向きであり照明装置１から光が照射される照射空間側への向きを下向きＺ２とする。なお、上向きＺ１は、灯具３が器具２に取り付けられる向きであり、下向きＺ２は、灯具３が器具２から取り外される向きである。
【００１６】
図１、図２に示すように、実施の形態１に係る照明装置１は、天井、壁などの造営部９に設置される器具２と、器具２に設けられた灯具装着部２１に対して着脱自在に装着される灯具３とを備える。実施の形態１では、一例として長尺形状の照明装置１を用いて説明するがこれに限定されるものではない。
【００１７】
＜器具２の構成＞
器具２は、ボルト（図示は省略）などの固定具を用いて天井、壁などの造営部９に対して固定される、所謂直付けタイプの灯具取付用の照明器具である。器具２は、灯具３の少なくとも一部が収容されて装着される灯具装着部２１が形成された器具本体２０と、器具本体２０の端部に取り付けられ、長手方向Ｘにおける灯具装着部２１の端部を覆う器具端部２３とを備える。また、器具２は、器具配線具２５として器具電線２５０と器具電線２５０の一端が接続される端子台２５２とを備える。端子台２５２には、器具２の外部から引き込まれた電源線（図示は省略）が接続される。そして、器具２は、灯具装着部２１に灯具３を装着するための連結機構を構成する器具側連結具であるバネ２４を備える。
【００１８】
（器具本体２０）
器具本体２０は、長手方向Ｘに沿って延設される灯具装着部２１を形成する３面である、矩形形状をなす器具底面部２１０と、器具底面部２１０の長手方向Ｘに沿った側辺のそれぞれから起立する一対の器具側面部２１４とを有する。一対の器具側面部２１４は、下向きＺ２に沿って形成されており、互いに対向している。灯具装着部２１における器具底面部２１０の反対側の対向する部分には、器具底面部２１０に対応した矩形形状の開口２１６が形成されている。上下方向Ｚに沿う灯具装着部２１の断面は、照射空間側が開口した凹形状である。一対の器具側面部２１４の下端は本体下端２１５であり、後述する端部下端２３２とともに開口縁部を構成する。
【００１９】
器具本体２０は、一対の器具側面部２１４の下端から、短手方向Ｙにおける外側、且つ造営部９の側に向かって、すなわち斜め上方に向かって形成される傾斜部２２を有する。傾斜部２２は、短手方向Ｙにおける灯具装着部２１の両側に長手方向Ｘに渡って延設されている。傾斜部２２は灯具３から照射される光の一部を照射空間側に反射する反射部として機能する。
【００２０】
実施の形態１では、器具本体２０は、金属材料からなる板材を折り曲げたり、金属材料を押し出したりして形成される。
【００２１】
器具底面部２１０には、複数の貫通孔２１１が形成されている。実施の形態１では、商用電源から電力供給を受けるための電源線（図示は省略）を灯具装着部２１内部に引き込む配線孔、器具２を造営部９に固定するためのボルトなどの固定具（図示は省略）を挿通させる固定孔などが、器具底面部２１０を貫通する貫通孔２１１として形成されている。
【００２２】
（器具端部２３）
器具端部２３は、長手方向Ｘにおける灯具装着部２１の両端を覆うように長手方向Ｘにおける器具本体の両端に取り付けられ、器具底面部２１０、器具側面部２１４、及び傾斜部２２の両端部と当接している。開口縁部である端部下端２３２には、長手方向Ｘにおける灯具３の端部が当接する。
【００２３】
実施の形態１では、器具端部２３は、金属材料からなる板材が折り曲げられて形成される。器具端部２３は、複数の照明装置１を長手方向Ｘに連結設置する場合に送り電線の挿通が行えるように、端部主部２３０の一部に開放自在のノックアウト２３１が形成されてもよい。
【００２４】
（バネ２４）
バネ２４は、長手方向Ｘに沿って対になるように、灯具装着部２１の器具底面部２１０にネジなどの固定具（図示は省略）を用いて固定されている。バネ２４は、ステンレス材料、バネ鋼材などの金属材料を用いて弾性変形するように形成される。バネ２４は、灯具装着部２１に灯具３を装着するための連結機構を構成する器具２の側の連結具であり、後述する灯具３のバネ受具３７と係合するように、器具底面部２１０におけるバネ受具３７対応した位置に配設されている。
【００２５】
（器具配線具２５）
器具配線具２５は、器具電線２５０と器具電線２５０の一端が接続される端子台２５２とを備える。
【００２６】
端子台２４３は、灯具装着部２１の器具底面部２１０にネジなどの固定具（図示は省略）を用いて固定されている。端子台２４３には、器具底面部２１０に形成された配線用の貫通孔２１１から灯具装着部２１の内部に引き込まれた電源線、信号線（何れも図示は省略）といった電線が接続される。また、器具電線２４０は、器具電線２４０の他端に設けられた器具電線コネクタ２４１を介して後述する灯具３の灯具電線３９０と接続される。器具配線具２４は、商用電源などの外部電源から灯具３に供給される電力、或いは灯具３の点灯電力を制御するための制御信号を伝送する経路である。
【００２７】
なお、照明装置１を長手方向Ｘに沿って連結して設置した場合には、隣接する照明装置に電力や制御信号を伝送するための送り電線が接続され、この場合、灯具装着部２１の内部には、送り電線も配設される。
【００２８】
＜灯具３の構成＞
図１及び図２に加え、図３から図８を参照して実施の形態１に係る灯具３の構成を説明する。
【００２９】
図３は、実施の形態１に係る灯具３の斜視図であり、図２における灯具３の斜視図とは斜視方向が異なる。図４は、実施の形態１に係る灯具の３の分解斜視図である。図５は、実施の形態１に係る灯具３の要部を示す拡大分解斜視図で、図５（ａ）は第２領域Ｓ２の側からの、図５（ｂ）は第１領域Ｓ１の側からの斜視図である。図６は、実施の形態１に係る灯具３の断面図で、図３のＡ−Ａ断面図である。図７は、実施の形態１に係る灯具３の断面図で、図３のＢ−Ｂ断面図である。図８は、実施の形態１に係る灯具３の断面図で、図３のＣ−Ｃ断面図である。
【００３０】
図２、図３に示すように、灯具３は、光源部３０、支持部３１、カバー３３、バネ受具３７、制御装置３８、灯具配線具３９、電線保持具４０を備える。灯具３は長尺形状に形成されている。灯具３は、器具２に形成された灯具装着部２１の内部に一部が収納された状態で、器具２に取り付けられる。
【００３１】
（光源部３０）
光源部３０は、基板３０１と基板３０１に実装される発光素子３００とからなる。基板３０１は長手方向Ｘに沿った長尺形状であり、矩形状に形成されている。基板３０１は、ガラス・エポキシ基板、ガラス・コンポジット基板、紙エポキシ基板、紙フェノール基板、金属ベース基板などを用いることができる。
【００３２】
基板３０１には、長手方向Ｘに沿って列状に複数の発光素子３００が配置されている。実施の形態１では、発光素子３００として発光ダイオード（Ｌｉｇｈｔ  Ｅｍｉｔｔｉｎｇ  Ｄｉｏｄｅ；以下、ＬＥＤと称す。）素子が用いられる。発光素子３００は、波長が４４０〜４８０〔ｎｍ〕の青色光を出射するＬＥＤチップ上に青色光を黄色光に波長変換する蛍光体を配してパッケージ化された面実装部品である疑似白色ＬＥＤ素子が用いられ、基板３０１の一面である実装面部３０２に面実装されている。基板３０１には、後述する給電線３９２の給電線コネクタ３９３が接続される接続端を非実装面部３０３に配するように基板コネクタ３０４が配置されている。
【００３３】
実装面部３０２、或いは実装面部３０２の反対側の他面である非実装面部３０３には、導電性材料からなる配線パタン（図示は省略）が敷設されており、発光素子３００と配線パタンとが電気的に接続されて光源回路が形成される。後述する制御装置３８から基板３０１に点灯電力が供給されると発光素子３００が点灯する。
【００３４】
基板３０１の少なくとも実装面部３０２には、電気絶縁性を有する絶縁層（図示は省略）が敷設される。絶縁層は、反射率が高い高反射タイプのレジストを用いて、実装面部３０２を高反射面としてもよい。高反射タイプのレジストは、例えば白色である。実装面部３０２には、高反射タイプのレジストに限らず、他の反射部材が、塗布、印刷、蒸着などの方法によって直接設けられてもよい。また、基板３０１とは別部材である反射部材が実装面部３０２に貼合されてもよい。
【００３５】
基板３０１は、発光素子３００が長手方向Ｘに沿うように、後述する支持部３１に設置される。そして、基板３０１は、非実装面部３０３を後述する支持部３１の配置面部３１１に当接させず、実装面部３０２を配置面部３１１に当接させるようにして設置される。基板３０１は、接着剤、粘着シートなどの接着部材６０を用いて、実装面部３０２を配置面部３１１に接着固定されて設置されてもよい。
【００３６】
基板３０１の実装面部３０２は、支持部３１と当接した状態で、発光素子３００の動作熱を支持部３１へ伝達する熱伝達面となる。
【００３７】
（支持部３１）
支持部３１は、長手方向Ｘに沿って延設され、矩形形状の平板である支持面部３１０と、短手方向Ｙにおける支持面部３１０の端部から支持面部３１０と交差する方向に沿って立設する側部３２０とを備える。そして、支持面部３１０には、短手方向Ｙにおける中央部に、長手方向Ｘに沿ってスリット状の連通部３１３が形成される。
【００３８】
支持部３１は、鉄、アルミニウムなどの金属材料を用いて形成される。支持部３１は、金属材料からなる板材を折り曲げたり、金属材料を押し出したりして形成される。支持部３１は、長手方向Ｘと交わる断面形状が略コの字形状であり、長手方向Ｘに沿って延設されている。
【００３９】
灯具３が器具２の灯具装着部２１に装着された状態で、支持面部３１０の配置面部３１１は、器具側の領域である第１領域Ｓ１に面しており器具２の器具底面部２１０と対向する。そして、配置面部３１１の反対の側である非配置面部３１２は、照射側の領域である第２領域Ｓ１に面しており後述するカバー３３のカバー支持部３３４と対向する。
【００４０】
支持面部３１０には、基板３０１が設置される。詳しくは、基板３０１は、実装面部３０２を配置面部３１１に当接させるようにして支持面部３１０に設置される。この際、基板３０１は、実装面部３０２に実装された発光素子３００が、支持面部３１０の連通部３１３が形成された領域に配置されるように、支持面部３１０に設置される。
【００４１】
また、支持面部３１０には、何れも後述する、バネ受具３７、制御装置３８、及び、電線保持具４０が設置される。詳しくは、バネ受具３７、制御装置３８、及び、電線保持具４０は、何れも、支持面部３１０における配置面部３１１に設置される。この際、バネ受具３７、制御装置３８、及び、電線保持具４０は、光源部３０（基板３０１）と離間している。
【００４２】
支持部３１は、光源部３０、或いは制御装置３５の動作熱を受熱し、灯具３から外部にこの熱を放散させるヒートシンクとして機能する。支持面部３１０の配置面部３１１は、基板３０１と当接した状態で、発光素子３００の動作熱を基板３０１から伝達される熱伝達面となる。
【００４３】
側部３２０は、短手方向Ｙにおける支持面部３１０の両端を基端部３２１として第１領域Ｓ１の側、つまり上向きＺ１に向かって立設している。基端部３２１の反対の側の先端部３２２は、後述するカバー３３が取り付けられる係合部であり、短手方向Ｙにおける内側にカール状の加工が施されている。
【００４４】
（カバー３３）
カバー３３は、支持部３１に対応して長手方向Ｘ沿って延設される主カバー３３０と、長手方向Ｘにおける主カバー３３０の両端部に取り付けられる端部カバー３４０とを備える。主カバー３３０は、発光素子３００から発せられた光を透過するカバー主部３３１と、カバー３３を支持部３１に取り付けるためのカバー取付部３３２とを有する。カバー取付部３３２は、短手方向Ｙにおけるカバー主部３３１の両端部から延設して形成されている。
【００４５】
実施の形態１では、少なくとも主カバー３３０のカバー主部３３１と端部カバー３４０は、透光性を有する樹脂材料などに可視光を拡散する拡散材料を添加した複合材料により形成されており、発光素子３００から発せられる光を拡散透過する。樹脂材料は、例えば、アクリル、ポリカーボネート（ＰＣ）などを用いることができる。
【００４６】
カバー取付部３３２は、支持部３１の先端部３２２に係合するカバー係合部３３３と支持部３１の配置面部３１１に当接した状態で支持面部３１０を支持するカバー支持部３３４とを備える。
【００４７】
実施の形態１では、カバー取付部３３２は、可視光を反射する高反射材料などの遮光材料により形成されており、発光部２１０から発せられる光を照射空間側に向け、光の利用効率を向上させる。
【００４８】
カバー３３は、支持部３１の非配置面部３１２を覆った状態で支持部３１に取り付けられる。詳しくは、カバー３３は、カバー支持部３３４が支持面部３１０を支持した状態で、カバー係合部３３３が支持部３１の先端部３２２に係合することによって、支持部３１に取付けられる。
【００４９】
（バネ受具３７）
バネ受具３７は、器具２が備えるバネ２４が係合するバネ係合部３７１が形成された連結主部３７０と、バネ受具３７を支持部３１の支持面部３１０に固定するために連結主部３７０と一体に形成された固定部３７２とを備える。また、バネ受具３７は、連結主部３７０と一体に形成され、基板３０１の非実装面部３０３と対向する対向部３７４を備える。灯具３は、バネ受具３７と器具２が備えるバネ２４とが係り合い（係合し）連結することによって、器具２の灯具装着部２１に装着される。バネ受具３７は、器具２のバネ２４とともに照明装置１の連結機構を構成する灯具３側の連結具である。
【００５０】
実施の形態１では、２つのバネ受具３７が、支持面部３１０の配置面部３１１の長手方向Ｘにおける両端部側にそれぞれ配置される。詳しくは、バネ受具３７は、固定部３７２を、配置面部３１１のうち光源部３０の基板３０１が設置されていない領域に、ネジ５０などの固定具を用いて固定されることによって支持部３１に取り付けられる。バネ受具３７は、配置面部３１１に固定された状態で基板３０１と離間している。そして、バネ受具３７は、スリット状の連通部３１３を跨ぐように支持部３１に取り付けられている。
【００５１】
バネ受具３７は、器具２が備えるバネ２４に対応する位置に配置される。つまり、バネ受具３７は、器具２が備えるバネ２４に対応して、長手方向Ｘにおける灯具３の一方の端部側に配置されてもよいし、長手方向Ｘにおける灯具３の両方の端部側に配置されてもよい。なお、バネ受具３７、及びバネ受具３７に対応して器具２が備えるバネ２４は、灯具制御装置３８、電線保持具４０などと接触しない位置を選択して配置する。
【００５２】
（制御装置３８）
制御装置３８は、商用電源などの外部電源から端子台２４３を介して供給される電力から発光素子３００を点灯させる点灯電力に変換して光源部３０に供給する制御ユニット３８０（図示は省略）と、制御装置３８の外郭部であり、制御ユニット３８０を収容する制御ユニット収容具３８１とを備える。
【００５３】
制御ユニット収容具３８１は、収容具本体部３８２と収容具蓋部３８７とを備える。収容具本体部３８２は、制御ユニット３８０と基板３０１との間に配置され、基板３０１の非実装面部３０３と対向する矩形状の本体底部３８３、本体底部３８３の周縁部から器具側に向かって起立した本体周壁部３８４、及び、本体底部３８３の一部を照射側に向かって切り起こして形成した収容具固定部３８５を備える。収容具蓋部３８７は、制御ユニット３８０を間にして本体底部３８３の反対側に配置される蓋底部３８８と、蓋底部３８８の周縁部から支持部３１の側に向かって起立した蓋周壁部３８９とを備える。制御ユニット収容具３８１は、例えば、鉄、アルミニウムなどの金属材料からなる板材を折り曲げて形成される。
【００５４】
制御装置３８は、収容具固定部３８５を、配置面部３１１のうち光源部３０の基板３０１が設置されていない領域に、ネジ５０などの固定具を用いて固定されることによって支持部３１に取り付けられる。制御装置３８は、配置面部３１１に固定された状態で基板３０１と離間している。そして、制御装置３８は、スリット状の連通部３１３を跨ぐように支持部３１に取り付けられている。
【００５５】
（灯具配線具３９）
配置面部３１１のうち、バネ受具３７、制御装置３８、及び、後述する電線保持具４０が設置されていない領域には、灯具配線具３９である灯具電線３９０、給電線３９２などが配置される。
【００５６】
灯具電線３９０は、灯具電線３９０の先端に設けられた灯具電線コネクタ３９１を介して器具２の器具電線２５０と接続される。灯具電線３９０は、商用電源などの外部電源から灯具３に供給される電力、或いは灯具３の点灯電力を制御するための制御信号を伝送する経路である。
【００５７】
給電線３９２は、給電線３９２の先端に設けられた給電線コネクタ３９３が、基板３０１の非実装面部３０３に接続端を配する基板コネクタ３０４と接続される。給電線３９２は、制御装置３８から点灯電力を光源部３０に伝送する経路である。
【００５８】
（電線保持具４０）
電線保持具４０は、基板３０１を間にして支持面部３１０の反対側に配置され、基板３０１の非実装面部３０３と対向する台座部４００、灯具配線具３９を所定の位置に保持するために、台座部４００より器具側に台座部４００と一体形成された電線保持部４０１、及び、電線保持具４０を支持部３１の支持面部３１０に固定するために、台座部４００より照射側に台座部４００と一体形成された保持具係合部４０２を備える。電線保持具４０は、電気絶縁性を有する樹脂材料などを用いて形成される。
【００５９】
電線保持具４０は、保持具係合部４０２を、支持面部３１０のうち光源部３０の基板３０１が設置されていない領域に形成された、支持面部３１０を貫通するスライド溝３１５にスライドさせながら支持面部３１０に係合することによって、電線保持部４０１が配置面部３１１の側に配置されるように支持部３１に取り付けられる。そして、電線保持具４０は、支持面部３１０のうち光源部３０の基板３０１が設置されていない領域に形成された、配置面部３１１の側に突設する保持突起３１６に台座部４００が係止されることよってスライド方向にロックされ支持面部３１０に固定される。
【００６０】
電線保持具４０は、支持面部３１０に固定された状態で基板３０１と離間している。そして、電線保持具４０は、スリット状の連通部３１３を跨ぐように支持部３１に取り付けられている。
【００６１】
＜灯具３の組み立て手順＞
図４及び図５を参照して実施の形態１に係る灯具３の組み立ての手順を説明する。
【００６２】
まず、支持部３１の配置面部３１１における、基板３０１の一面である実装面部３０２と当接する部分に、接着剤、粘着シートなどの接着部材６０を敷設する。
次に、器具側の領域である第１領域Ｓ１において、基板３０１の実装面部３０２を支持面部３１０の配置面部３１１に向けた状態の光源部３０を、配置面部３１１と交差する方向に沿って、配置面部３１１近付けるように移動させる。
続いて、基板３０１の実装面部３０２に実装された発光素子３００が支持面部３１０の連通部３１３が形成された領域に配置されるように位置を調整しながら、光源部３０を支持面部３１０に設置する。
そして、実装面部３０２と配置面部３１１とが接着部材６０によって接着固定されることによって、光源部３０の支持部３１への取り付けが完了する。
【００６３】
さらに、支持部３１に光源部３０が取り付けられた状態で、配置面部３１１にバネ受具３７、制御装置３８、及び電線保持具４０が配置され、バネ受具３７及び制御装置３８はネジ５０などの固定具を用いて、電線保持具４０はスライドしながら支持面部３１０取り付けられる。
そして、灯具配線具３９を接続し、電線保持部４０を用いて灯具配線具３９を所定の位置に保持する。
最後に、支持部３１の配置面部３１１を覆うようにして、カバー３３を支持部３１に取付けられる。
【００６４】
灯具３の組み立ては、カバー３３を除いた、光源部３０、バネ受具３７、制御装置３８、及び電線保持具４０を、配置面部３１１の側から支持部３１に取り付ける。
なお、カバー３３の取り付けは、光源部３０、バネ受具３７、制御装置３８、及び電線保持具４０が取り付けられた支持部３１を、治工具などに固定されたカバー３３に取り付けるようにしてもよい。
【００６５】
＜実施の形態１の作用効果＞
以上説明したように、実施の形態１に係る灯具３は、基板３０１の一面の側である実装面部３０２に発光素子３００が配置された光源部３０と、光源部３０が支持される支持部３１を備える。支持部３１は、基板３０１の実装面部３０２の少なくとも一部が当接するように形成された配置面部３１１、この配置面部３１１の反対の側に形成され光源部３０が配置されない非配置面部３１２、及び、配置面部３１１の少なくとも一部が面する器具側の領域である第１領域Ｓ１と非配置面部３１２の少なくとも一部が面する照射側の領域である第２領域Ｓ２とを繋ぐように、配置面部３１１と非配置面部３１２との間に連通部３１３が形成されている。そして、光源部３０は、第１領域Ｓ１内を配置面部３１１と交差する方向に沿って移動することによって、基板３０１の実装面部３０２が配置面部３１１に当接するように支持部３１に支持されるので、光源部３０は、支持部３１の第１領域Ｓ１の側の配置面部３１１に安定して配置され、第２領域Ｓ２の側へ外れることがない。
【００６６】
そして、実施の形態１に係る灯具３は、基板３０１の一面の側である実装面部３０２のうち、発光素子３００が実装されていない領域が配置面部３１１に当接するように支持部３１に取り付けられているので、発光素子３００の動作熱は実装面部３０２から支持部３１に対して最短経路で伝達され、光源部３０、灯具３、照明装置１の動作信頼性、及び長期信頼性の向上に繋がる。
【００６７】
また、実施の形態１に係る灯具３は、光源部３０が支持部３１に支持された状態で、基板３０１の一面の側である実装面部３０２のうち配置面部３１１と当接しない部分が、支持部３１に形成された連通部３１３を介して照射側の領域である第２領域Ｓ２に露出する。発光素子３００は、光源部３０が支持部３１に支持された状態で、基板３０１の一面の側である実装面部３０２のうち配置面部３１１と当接しない部分に配置されるように基板３０１の実装面部３０２に実装されているので、発光素子３００から発せられた光は、支持部３１に遮られることがなく、照射側の領域である第２領域Ｓ２に無駄なく照射させることができる。
【００６８】
そして、実施の形態１に係る灯具３は、連通部３１３が短手方向Ｙにおける支持面部３１０の中央部に設けられている場合に、発光素子３００の光軸が連通部３１３を通過するように、光源部３０を支持部３１に支持することによって、短手方向Ｙにおけるカバー３３の中心に対して発光素子３００の光軸を一致させることができる。
【００６９】
さらに、実施の形態１に係る灯具３は、光源部３０が支持部３１に支持された状態で、発光素子３００の光が発せられる出光部が非配置面部３１２よりも照射側の領域である第２領域Ｓ２の側に配置されることによって、短手方向Ｙにおける照射範囲（配光）を広げることができる。
【００７０】
また、実施の形態１に係る灯具３は、灯具側連結具であるバネ受具３７、制御装置３８、電線保持具４０の少なくとも何れかが支持面部３１０に形成されたスリット状の連通部３１３を跨ぐように支持部３１に取り付けられており、支持部３１を補強している。すなわち、灯具側連結具であるバネ受具３７、制御装置３８、電線保持具４０の少なくとも何れかが支持部３１に取り付けられることによって、連通部３１３が形成されたことによる支持部３１の剛性の低下を補い、支持部３１の変形を抑制することができる。
【００７１】
灯具側連結具であるバネ受具３７、制御装置３８、電線保持具４０は、基板３０１と離間した状態で、スリット状の連通部３１３を跨ぐように支持部３１に取り付けられている。つまり、バネ受具３７、制御装置３８、電線保持具４０は、対向する基板３０１を跨ぐように支持部３１に取り付けられており、基板３０１は器具側への移動を規制されるので、灯具３から外れることがない。
【００７２】
さらに、実施の形態１に係る灯具３は、カバー３３を除いた、光源部３０、バネ受具３７、制御装置３８、及び電線保持具４０を、配置面部３１１の側から支持部３１に取り付けることができるので、組み立て作業を簡略化することができ、組み立て時間を短縮することができる。
【００７３】
＜変形例＞
上記の実施の形態１において、光源部３０（基板３０１）は、接着部材６０を用いることなく、基板３０１の実装面部３０２が配置面部３１１に当接するように支持部３１に取り付けてもよい。この場合、基板３０１の非実装面部３０３と、基板３０１の非実装面部３０３と対向する、灯具側連結具であるバネ受具３７、制御装置３８、電線保持具４０の少なくとも何れかの対向部との間に弾性部材（図示は省略）を配置して、基板３０１を弾性部材の弾性力によって支持部３１に押圧することによって、基板３０１の実装面部３０２が支持部３１の配置面部３１１に当接させてもよい。
【００７４】
上記の実施の形態１において、照明装置１は、反射部である傾斜部２２を備えた、所謂Ｖ字タイプの器具２を用いて説明したが、これに限らず、照明装置１は、傾斜部を備えない所謂トラフタイプ、或いは、反射笠を備えた笠付きタイプの照明装置であってもよい。
【００７５】
上記の実施の形態１において、照明装置１は、器具２を天井、壁などの造営部９に対して固定する、所謂直付けタイプの灯具取付用の照明器具であるものとして説明したが、これに限らず、照明装置１は、天井、壁などの造営部９に形成した開口に埋め込んで使用される器具を採用した、所謂埋込タイプの照明装置であってもよい。
【００７６】
上記の実施の形態１において、器具本体２０、器具端部２３、及び支持部３１は、金属材料を用いて形成されるものとして説明したが、これに限らず、器具本体２０、器具端部２３、或いは支持部３１は、金属材料以外の材料を用いて形成されてもよく、例えば、樹脂材料、セラミック材料などを用いて形成されたものであってもよい。
【００７７】
上記の実施の形態１において、光源部３０は、発光素子３００としてパッケージ化された面実装型（ＳＭＤ型）のＬＥＤ素子を例示して説明したが、これに限らず、光源部３０は、複数のＬＥＤチップが基板上に直接実装され、複数のＬＥＤチップを蛍光体含有樹脂によって一括して封止した構成であるＣＯＢ（Ｃｈｉｐ  Ｏｎ  Ｂｏａｒｄ）タイプの光源部であってもよい。
【００７８】
上記の実施の形態１において、発光素子としてＬＥＤを例示して説明したが、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）または無機ＥＬなどの発光素子を用いてもよい。そして、発光素子の数は、複数に限らず、１つであってもよい。詳しくは、長手方向の長さが基板３０１または支持部３１の長手方向の長さと略などしい、長尺の有機ＥＬ素子１つを発光素子３００として用い、有機ＥＬ素子の長手方向と基板３０１または支持部３１の長手方向が並行になるように配置してもよい。
【００７９】
実施の形態２．
図９及び図１０を参照して、実施の形態２に係る照明装置１について、主に、実施の形態１と異なる部位を説明する。なお、実施の形態１に係る照明装置１と同一の構成を有する部位には同一の符号を付してその説明を省略する。
【００８０】
図９は、実施の形態２に係る灯具３の要部を示す拡大分解斜視図で、図９（ａ）は第２領域Ｓ２の側からの、図９（ｂ）は第１領域Ｓ１の側からの斜視図である。図１０は、実施の形態２に係る灯具３の断面図で、図３のＡ−Ａ断面図に相当する。
【００８１】
実施の形態２に係る灯具３は、支持部３１と異なる支持部３１ａを用いる点が実施の形態１と異なる。
【００８２】
支持部３１ａは、短手方向Ｙにおける支持面部３１０ａの中央領域に、照射側の領域である第２領域Ｓ２の側に突出した段差部３１７が形成されている。段差部３１７は、長手方向Ｘに沿って延設され、短手方向Ｙにおける支持面部３１０ａの端部より内側から支持面部３１０ａと交差する方向に沿って立設する一対の段差側部３１８と、一対の段差側部３１８の先端どうしを繋ぐ段差面部３１９とを備える。そして、段差面部３１９には、短手方向Ｙにおける中央部に、長手方向Ｘに沿ってスリット状の連通部３１３が形成される。
【００８３】
実施の形態２では、基板３０１は段差部３１９に設置される。詳しくは、基板３０１は、実装面部３０２を段差面部３１９の配置面部３１１ａに当接させるようにして段差面部３１９に設置される。この際、基板３０１は、実装面部３０２に実装された発光素子３００が段差面部３１９の連通部３１３が形成された領域に配置されるように、段差面部３１９に設置される。
【００８４】
短手方向Ｙにおける配置面部３１１ａの長さ寸法（配置面部３１１ａの幅寸法）は、短手方向Ｙにおける基板３０１の長さ寸法（基板３０１の幅寸法）に対応している。上下方向Ｚに沿った段差側部３１８の長さ寸法（段差側部３１８の高さ寸法）は、カバー主部３３１を介した発光素子３００の粒状感、或いは灯具３の側方への配光バランスなどを勘案して決定される。
【００８５】
＜実施の形態２の作用効果＞
実施の形態２に係る灯具３は、段差側部３１８の長さ寸法（段差側部３１８の高さ寸法）を大きくすることによって、灯具３の側方への配光性能が向上する。
【００８６】
また、実施の形態２に係る灯具３は、段差側部３１８の長さ寸法（段差側部３１８の高さ寸法）を基板３０１の厚さ寸法よりも大きくすると、配置面部３１１に取付けられるバネ受具３７、制御装置３８（制御ユニット収容具３８１）、及び電線保持具４０と基板３０１とは接触するおそれがなくなる。
【００８７】
そして、実施の形態２に係る灯具３は、短手方向Ｙにおける支持面部３１０ａの中央領域に、段差部３１７が形成されることによって、支持部３１ａが補強される。すなわち、段差部３１７は、連通部３１３が形成されたことによる支持部３１ａの剛性の低下を補い、支持部３１ａの変形が抑制される。
【００８８】
さらに、実施の形態２に係る灯具３は、光源部３０（基板３０１）を、配置面部３１１の側から支持部３１に取り付ける際に、段差部３１７によって位置合わせが可能となるため、組み立て時間を短縮しながら、正確な組み立て作業を行うことができる。
【００８９】
実施の形態３．
図１１及び図１２を参照して、実施の形態３に係る照明装置１について、主に、実施の形態１と異なる部位を説明する。なお、実施の形態１に係る照明装置１と同一の構成を有する部位には同一の符号を付してその説明を省略する。
【００９０】
図１１は、実施の形態３に係る灯具３の要部を示す拡大分解斜視図で、図１１（ａ）は第２領域Ｓ２の側からの、図１１（ｂ）は第１領域Ｓ１の側からの斜視図である。図１２は、実施の形態３に係る灯具３の断面図で、図３のＡ−Ａ断面図に相当する。
【００９１】
実施の形態３に係る灯具３は、光源部３０の基板３０１ｂが、基板保持具３６に保持された状態で支持部３１に設置される点が実施の形態１と異なる。
【００９２】
実施の形態３に係る灯具３は、基板３０１ｂを保持する基板保持具３６を備える。基板保持具３６は、長手方向Ｘに沿って延設され、矩形形状の平板である保持面部３６１と、短手方向Ｙにおける保持面部３６１の端部から保持面部３６０と交差する方向に沿って立設する一対の保持側部３６５とからなる基板保持部３６０、及び一対の保持側部３６５の先端から短手方向Ｙの外側に向かって張り出す鍔部３６６を備える。そして、保持面部３６０には、短手方向Ｙにおける中央部に、長手方向Ｘに沿って配列される複数の保持具連通部３６４が形成される。
【００９３】
基板保持具３６は、電気絶縁性を有する樹脂材料、セラミック材料などを用いて形成される。基板保持部３６０は、長手方向Ｘと交わる断面形状が略コの字形状であり、長手方向Ｘに沿って延設されている。
【００９４】
灯具３が器具２の灯具装着部２１に装着された状態で、保持面部３６１の保持具配置面部３６２は、器具側領域である第１領域Ｓ１に面しており器具２の器具底面部２１０と対向する。そして、保持具配置面部３６２の反対側である保持具非配置面部３６３は、照射側の領域である第２領域Ｓ１に面しておりカバー３３のカバー主部３３１と対向する。
【００９５】
基板保持具３６の基板保持部３６０には、基板３０１ｂが保持される。詳しくは、基板３０１ｂは、実装面部３０２ｂを保持具配置面部３６２に当接させるようにして保持面部３６１に設置される。この際、基板３０１ｂは、実装面部３０２ｂに実装された発光素子３００が保持面部３６１の保持具連通部３６４が形成された領域に配置されるように、保持面部３６１に設置される。
【００９６】
基板保持具３６は、器具側の領域である第１領域Ｓ１の側から、基板保持部３６０が支持部３１の支持面部３１０に形成された連通部３１３ｂに嵌挿され、鍔部３６６が支持面部３１０に係止されることによって支持部３１に設置される。図示は省略するが、基板保持具３６は、接着部材を用いて支持面部３１０に接着固定されてもよいし、係合部などを形成して支持面部３１０に係着固定されてもよい。
【００９７】
連通部３１３ｂの形状、及び寸法は、基板保持部３６０に対応して決定される。そして、短手方向Ｙにおける保持具配置面部３６２の長さ寸法（保持具配置面部３６２の幅寸法）は、短手方向Ｙにおける基板３０１ｂの長さ寸法（基板３０１ｂの幅寸法）に対応している。上下方向Ｚに沿った保持側部３６５の長さ寸法（保持側部３６５の高さ寸法）は、カバー主部３３１を介した発光素子３００の粒状感、灯具３の側方への配光性能などを勘案して決定される。
【００９８】
＜実施の形態３の作用効果＞
実施の形態３に係る灯具３は、保持側部３６５の長さ寸法（保持側部３６５の高さ寸法）を大きくすることによって、灯具３の側方への配光性能が向上する。
【００９９】
実施の形態３に係る灯具３は、電気絶縁性を有する樹脂材料を用いて形成された基板保持具３６に基板３０１ｂを保持した状態で支持部３１に設置されるので、基板３０１ｂの電気絶縁性（絶縁耐力性能）が向上する。
【０１００】
実施の形態３に係る灯具３は、電気絶縁性を有する樹脂材料を用いて形成された基板保持具３６に基板３０１ｂを保持した状態で支持部３１に設置されるので、基板３０１ｂを小型化することができ、材料コストを低減することができる。
【０１０１】
実施の形態３に係る灯具３は、電気絶縁性を有する樹脂材料を用いて形成された基板保持具３６に基板３０１ｂが保持されるため、保持具連通部３６４を小さくしたり、複数の発光素子３００に対応して個別に分離して形成したりできるので、基板保持具３６、或いは、支持部３１の剛性の低下を補い、支持部３１の変形が抑制される。
【０１０２】
実施の形態４．
図１３を参照して、実施の形態３に係る照明装置１について、主に、実施の形態１と異なる部位を説明する。なお、実施の形態１に係る照明装置１と同一の構成を有する部位には同一の符号を付してその説明を省略する。
【０１０３】
図１３は、実施の形態４に係る灯具３の要部を示す拡大分解斜視図で、図１３（ａ）は第２領域Ｓ２の側からの、図１３（ｂ）は第１領域Ｓ１の側からの斜視図である。
【０１０４】
実施の形態４に係る灯具３は、支持部３１と異なる支持部３１ｃを用いる点が実施の形態１と異なる。
【０１０５】
支持部３１ｃの支持面部３１０には、短手方向Ｙにおける中央部に、長手方向Ｘに沿って配列される複数の連通部３１３ｃが形成される。
【０１０６】
＜実施の形態４の作用効果＞
実施の形態４に係る灯具３は、光源部３０ｃの隣接する発光素子３００どうしの間隔が大きい場合に、連通部３１３ｃを複数の発光素子３００に対応して個別に分離して形成できるので、支持部３１ｃの剛性の低下を補い、支持部３１ｃの変形が抑制される。
【０１０７】
また、実施の形態４に係る灯具３は、基板３０１の実装面部３０２と支持面部３１０の配置面部３１１との当接する面積を大きくすることができるので、発光素子３００の動作熱は効率的に実装面部３０２から支持部３１ｃに伝達され、光源部３０ｃ、灯具３、照明装置１の動作信頼性、及び長期信頼性の向上に繋がる。
【０１０８】
実施の形態５．
図１４を参照して、実施の形態３に係る照明装置１について、主に、実施の形態１と異なる部位を説明する。なお、実施の形態１に係る照明装置１と同一の構成を有する部位には同一の符号を付してその説明を省略する。
【０１０９】
図１４は、実施の形態５に係る支持部３１ｄの要部を示す拡大斜視図であり、図１４（ａ）は、組立途中の状態を示す斜視図、図１４（ｂ）は組立完了の状態を示す斜視図である。
【０１１０】
実施の形態５に係る灯具３は、支持部３１と異なる支持部３１ｄを用いる点が実施の形態１と異なる。
【０１１１】
支持部３１ｄは、長手方向Ｘにおける両端部に第２側部３５０を備える。第２側部３５０は、長手方向Ｘにおける支持面部３１０端部から支持面部３１０と交差する方向に沿って起立するように形成される。実施の形態５では、第２側部３５０は、長手方向Ｘにおける支持面部３１０の端部に延設されており、支持面部３１０と交差する方向に沿うように折り曲げられる。
【０１１２】
支持部３１ｄは、短手方向Ｙにおける第２側部３５０の両端部に側部固定片３５１を備えている。側部固定片３５１は第２側部３５０と交差する方向に沿って起立するように形成される。実施の形態５では、側部固定片３５１は、短手方向Ｙにおける第２側部３５０の端部に延設されており、第２側部３５０と交差する方向に沿うように折り曲げられる。
【０１１３】
支持部３１ｄの第２側部３５０は、側部固定片３５１がカール状の加工が施された側部３２０の先端部３２２に差し込まれることによって固定される。
【０１１４】
＜実施の形態５の作用効果＞
実施の形態５に係る灯具３は、長手方向Ｘにおける支持部３１ｄの両端部に設けられ、側部３２０に固定される第２側部３５０を備えたので、連通部３１３が形成されたことによる支持部３１ｄの剛性の低下を補い、支持部３１ｄの変形が抑制される。
【０１１５】
実施の形態６．
図１５を参照して、実施の形態３に係る照明装置１について、主に、実施の形態１と異なる部位を説明する。なお、実施の形態１に係る照明装置１と同一の構成を有する部位には同一の符号を付してその説明を省略する。
【０１１６】
図１５は、実施の形態６に係る支持部３１ｅの要部を示す拡大斜視図であり、図１５（ａ）は、組立途中の状態を示す分解斜視図、図１５（ｂ）は組立完了の状態を示す斜視図である。
【０１１７】
実施の形態６に係る灯具３は、支持部３１と異なる支持部３１ｅを用いる点が実施の形態１と異なる。
【０１１８】
実施の形態６に係る灯具３では、２つの同じ支持部３１ｅが組み立てられてなる支持ユニット３５２を用いる。
【０１１９】
支持部３１ｅは、長手方向Ｘに沿って延設され、矩形形状の平板である支持面部３１０ｅ、短手方向Ｙにおける支持面部３１０ｅの一方の端部から支持面部３１０ｅと交差する方向に沿って立設する側部３２０、及び、長手方向Ｘにおける側部３２０の一方の端部から、側部３２０と交差する方向に沿って立設する第２側部３５０ｅを備える。
【０１２０】
そして、支持部３１ｅは、短手方向Ｙにおける第２側部３５０ｅの先端部に側部固定片３５１ｅを備える。側部固定片３５１ｅは第２側部３５０ｅと交差する方向に沿って起立するように形成される。実施の形態６では、側部固定片３５１ｅは、短手方向Ｙにおける第２側部３５０ｅの先端部に延設されており、第２側部３５０ｅと交差する方向に沿うように折り曲げられる。
【０１２１】
さらに、支持部３１ｅは、上下方向Ｚにおける第２側部３５０ｅの下端部に２つの支持面部固定片３５３を備えている。２つの支持面部固定片３５３は、側部３２０の側と短手方向Ｙにおける第２側部３５０ｅの先端部の側とに各１つが設けられている。２つの支持面部固定片３５３は、第２側部３５０ｅと交差する方向に沿って起立するように形成される。実施の形態６では、側部固定片３５１ｅは、第２側部３５０ｅと交差する方向に沿うように折り曲げられる。
【０１２２】
＜支持ユニット３５２の組み立て手順＞
実施の形態６に係る支持ユニット３５２の組み立ての手順を説明する。
２つの支持部３１ｅは、支持面部３１０ｅを内側とし、２つの側部３２０が対向するように配置する。そして、２つの支持部３１ｅは、２つの支持面部３１０ｅどうしが所定の距離を隔てるようにして配置される。この２つの支持面部３１０ｅどうしの間隙は、支持ユニット３５２における連通部３１３ｅとなる。
【０１２３】
次に、一方の支持部３１ｅの側部固定片３５１ｅを、他方の支持部３１ｅの、カール状の加工が施された側部３２０の先端部３２２に差し込む。
同様に、他方の支持部３１ｅの側部固定片３５１ｅを、一方の支持部３１ｅの、カール状の加工が施された側部３２０の先端部３２２に差し込む。
【０１２４】
続いて、一方の支持部３１ｅの側部３２０の側に設けられた側部固定片３５１ｅを、一方の支持部３１ｅの支持面部３１０ｅに固定し、一方の支持部３１ｅの短手方向Ｙにおける第２側部３５０ｅの先端部の側に設けられた側部固定片３５１ｅを、他方の支持部３１ｅの支持面部３１０ｅに固定する。
同様に、他方の支持部３１ｅの側部３２０の側に設けられた側部固定片３５１ｅを、他方の支持部３１ｅの支持面部３１０ｅに固定し、他方の支持部３１ｅの短手方向Ｙにおける第２側部３５０ｅの先端部の側に設けられた側部固定片３５１ｅを、一方の支持部３１ｅの支持面部３１０ｅに固定する。
側部固定片３５１ｅの支持面部３１０ｅへの固定は、カシメ、溶接などの接合、ネジ、リベットなどの固定具（図示は省略）を用いた固定などを採用することができる。
【０１２５】
このように、側部固定片３５１ｅがカール状の加工が施された側部３２０の先端部３２２に差し込まれ、側部固定片３５１ｅが支持面部３１０ｅに固定されることによって、支持ユニット３５２の組み立てが行われる。
【０１２６】
＜実施の形態６の作用効果＞
実施の形態５に係る灯具３は、
２つの同じ支持部３１ｅが組み立てられた支持ユニット３５２を用いるので、１つの支持部３１ｅを小型化することができる。これによって、小型化された支持部３１ｅの成型に用いられる金型を小型化、部品の輸送効率や保管効率の改善といった効果が得られる。
【０１２７】
２つの同じ支持部３１ｅが組み立てられた支持ユニット３５２は、長手方向Ｘにおける設けられ、側部３２０と支持面部３１０ｅとに固定される第２側部３５０ｅを備えたので、剛性の低下を補い、変形が抑制される。
【０１２８】
以上、本発明の実施の形態、及び変形例について説明したが、これらの実施の形態、及び変形例のうち、２つ以上を組み合わせて実施しても構わない。或いは、これらの実施の形態のうち、１つを部分的に実施しても構わない。或いは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１２９】
１  照明装置、２  器具、２０  器具本体、２１  灯具装着部、２１０  器具底面部、２１１  貫通孔、２１４  器具側面部、２１５  本体下端、２１６  開口、２２  傾斜部、２３  器具端部、２３０  端部主部、２３１  ノックアウト、２３２  端部下端、２４  バネ、２５  器具配線具、２５０  器具電線、２５１  器具電線コネクタ、２５２  端子台、３  灯具、３０，３０ｃ  光源部、３００  発光素子、３０１，３０１ｂ  基板、３０２，３０２ｂ  実装面部、３０３，３０３ｂ  非実装面部、３０４  基板コネクタ
３１，３１ａ，３１ｃ，３１ｄ，３１ｅ  支持部、３１０，３１０ａ，３１０ｃ，３１０ｅ  支持面部、３１１，３１１ａ  配置面部、３１２，３１２ａ  非配置面部、３１３，３１３ｂ，３１３ｃ，３１３ｅ  連通部、３１４  ネジ孔、３１５  スライド溝、３１６  保持突起、３１７  段差部、３１８  段差側部、３１９  段差面部、３２０  側部、３２１  基端部、３２２  先端部、３５０，３５０ｅ  第２側部、３５１，３５１ｅ  側部固定片、３５２  支持ユニット、３５３  支持面部固定片、３３  カバー、３３０  主カバー、３３１  カバー主部、３３２  カバー取付部、３３３  カバー係合部、３３４  カバー支持部、３４０  端部カバー、３６  基板保持具、３６０  基板保持部、３６１  保持面部、３６２  保持具配置面部、３６３  保持具非配置面部、３６４  保持具連通部、３６５  保持側部、３６６  鍔部、３７  バネ受具、３７０  連結主部、３７１  バネ係合部、３７２  固定部、３７３  ネジ孔、３７４  対向部、３８  制御装置、３８０  制御ユニット、３８１  制御ユニット収容具、３８２  収容具本体部、３８３  本体底部、３８４  本体周壁部、３８５  収容具固定部、３８６  ネジ孔、３８７  収容具蓋部、３８８  蓋底部、３８９  蓋周壁部、３９  灯具配線具、３９０  灯具電線、３９１  灯具電線コネクタ、３９２  給電線、３９３  給電線コネクタ、４０  電線保持具、４００  台座部、４０１  電線保持部、４０２  保持具係合部、４０３  ボルト規制部、５０  ネジ、６０  接着部材、９  造営部、Ｓ１  第１領域、Ｓ２  第２領域。
【図１】
2020161440.tif 000003
【図２】
2020161440.tif 000004
【図３】
2020161440.tif 000005
【図４】
2020161440.tif 000006
【図５】
2020161440.tif 000007
【図６】
2020161440.tif 000008
【図７】
2020161440.tif 000009
【図８】
2020161440.tif 000010
【図９】
2020161440.tif 000011
【図１０】
2020161440.tif 000012
【図１１】
2020161440.tif 000013
【図１２】
2020161440.tif 000014
【図１３】
2020161440.tif 000015
【図１４】
2020161440.tif 000016
【図１５】
2020161440.tif 000017